(57)【特許請求の範囲】
【請求項１】
用紙の側縁部に設けられた複数の孔をリングで綴じて製本されるブックの前記リングに上下方向から係脱自在に係合される背見出しタグであって、
第１の側面部と、第２の側面部と、前記第１の側面部及び第２の側面部の一端側におけるそれぞれの側縁間を約３０度乃至約１５０度の角度範囲で離間させて連結する連結部と、を含んで構成された本体部と、
先端部が上下方向に相互に向かい合う一対の突起部によって前記本体部を前記リングに係合させる係合部と、を備えてなることを特徴とする背見出しタグ。
【請求項２】
前記本体部の横断面形状がＶ字状であり、
前記係合部が、前記第１の側面部及び第２の側面部における前記一端側の端縁に連接されてなることを特徴とする請求項１記載の背見出しタグ。
【請求項３】
両側縁に前記係合部を有する平板の中央を、約３０度乃至約１５０度の角度範囲で折り曲げて形成してなることを特徴とする請求項２記載の背見出しタグ。
【請求項４】
前記本体部の横断面形状が多角形であり、
前記係合部が、前記連結部に隣接しない側面部に設けられてなることを特徴とする請求項１記載の背見出しタグ。
【請求項５】
前記第１の側面部又は第２の側面部を押圧することによって、前記連結部を中心に回動して前記第１の側面部及び第２の側面部が近接し、前記本体部が扁平な形状に弾性変形してなることを特徴とする請求項１〜４のいずれかに記載の背見出しタグ。
【請求項６】
用紙の側部に設けられた複数の孔をリングで綴じて製本されるブックの前記リングに上下方向から係脱自在に係合される背見出しタグであって、
横断面形状が円形、半円形又は円弧状の柱状体からなる本体部と、
先端部が上下方向に相互に向かい合う一対の突起部によって前記本体部を前記リングに係合させる係合部と、を備えてなることを特徴とする背見出しタグ。
【請求項７】
用紙の側縁部に設けられた複数の孔をリングで綴じて製本されるブックの前記リングに上下方向から係脱自在に係合される背見出しタグであって、
弾性復元力のある板材の両側縁のそれぞれに先端部が上下方向に相互に向かい合う一対の突起部を連接し、該板材の中央を、約３０度乃至約１５０度の角度範囲で折り曲げることで、
第１の側面部と、第２の側面部と、前記第１の側面部及び第２の側面部の一端側におけるそれぞれの側縁間を約３０度乃至約１５０度の角度範囲で離間させて連結する連結部と、からなる本体部と、先端部が上下方向に相互に向かい合う一対の突起部によって前記本体部を前記リングに係合させる係合部と、を形成したことを特徴とする背見出しタグ。
【発明の詳細な説明】
【技術分野】
【０００１】
本発明は、用紙の側部に設けられた複数の孔をリングで綴じて製本されるブックの前記リングに係脱自在に係合される背見出しタグに関するものである。
【背景技術】
【０００２】
従来から、複数枚の用紙を束ね、側部に形成した複数個の綴じ孔にリングを係合したブックが広く使用されている。この種のブックとしては、スケッチブック、ノートブック、アルバム、手帳等がある。これらのブックでは、各用紙は、リングの回りを３６０度回動させることができ、前頁の下に後頁以降を重ね合わせた状態で使用することができる。このため、場所を取らず、使い易く、保存も行い易い等の利点を有している。
【０００３】
この種のブックでは回動して用紙を重ね合わせる利点を有しているが、リングが邪魔をして背表紙を付けることができない。このため、表紙にブックの内容を示す見出し文字を表示し、それを手掛かりに目的とするブックを選択している。しかし、書棚やキャビネット等に前記ブックを収納すると、表紙の文字が完全に隠れてしまい、希望するブックを探し出すことが難しくなる。
【０００４】
ブックの背面側におけるリングに見出しを設けたものとしては、板状の見出しタグ（特許文献１参照）が提案されている。図２１に示すように、この見出しタグ５０にはリング５２に係合する取付孔５１が形成され、同取付孔５１は挿着方向に形成したスリット５３と連通している。
【０００５】
またスリット５３をリング５２に対して挿着し易いように、先端入口５４には面取りが施されている。図２２に示すように、スリット５３は、リング５２を通過させることによって拡開変形し、挿着後は原形復元することができる。見出しタグ５０を構成する材質としては、弾性復元力を有する樹脂板やばね鋼板等が用いられている。
【特許文献１】実用新案登録第３０７３８１４号公報
【発明の開示】
【発明が解決しようとする課題】
【０００６】
特許文献１に記載された見出しタグ５０は、板状体で構成されているので、見出しタグ５０を係合したブック５５を書棚やキャビネットに収納したときには、見出しタグ５０がブック５５の表紙側あるいは裏表紙側に回動した状態で収納されてしまい、背見出しとしての作用が奏さないことがある。
【０００７】
このため、ブック５５の背を見ただけではブック５５の内容を判断できず、一つ一つのブック５５を書棚等から取り出して内容を確認し、取り出したブック５５が捜し求めるブック５５でないときには書棚に戻し、隣のブック５５を書棚から取り出して、改めて内容の確認を行わなければならない。
【０００８】
また、見出しタグ５０がブックから突出した板状体で構成されているので、書棚等にブックを収納した際には、隣接するブックの同士が重なり合ってそれぞれの側縁同士が重なったまま正面側に突出した状態となり、書棚の正面から見出しタグ５０の表示を視認することができなかったり、隣接するブック間に新たなブックを挿入し難いという不都合があった。
【０００９】
本発明では、リングに係脱自在に係合することができ、ブックを書棚やキャビネット等に収納したときに正面から背見出しタグの文字を視認することができ、背見出しとしての機能を有効に奏することのできる背見出しタグを提供する。
【課題を解決するための手段】
【００１０】
請求項１に係る発明では、用紙の側縁部に設けられた複数の孔をリングで綴じて製本されるブックの前記リングに上下方向から係脱自在に係合される背見出しタグであって、第１の側面部と、第２の側面部と、前記第１の側面部及び第２の側面部の一端側におけるそれぞれの側縁間を約３０度乃至約１５０度の角度範囲で離間させて連結する連結部と、を含んで構成された本体部と、先端部が上下方向に相互に向かい合う一対の突起部によって前記本体部を前記リングに係合させる係合部と、を備えてなることを最も主要な特徴となしている。
【００１１】
また、請求項２に係る発明では請求項１の発明の構成において、前記本体部の横断面形状がＶ字状であり、前記係合部が、前記第１の側面部及び第２の側面部における前記一端側の端縁に連接されてなることを主要な特徴となしている。
【００１２】
尚、連接とは、第１の側面部及び第２の側面部から連結的に伸びている場合や、第１の側面部又は第２の側面部から所定の角度をもって別部材を介して接合されている場合等を含むものとする。
【００１３】
請求項３に係る発明では請求項２の発明の構成において、両側縁に前記係合部を有する平板の中央を、約３０度乃至約１５０度の角度範囲で折り曲げて形成してなることを主要な特徴となしている。
【００１４】
請求項４に係る発明では請求項１の発明の構成において、前記本体部の横断面形状が多角形であり、前記係合部が、前記連結部に隣接しない側面部に設けられてなることを主要な特徴となしている。
【００１５】
請求項５に係る発明では、請求項１の発明から請求項４の発明の構成において、前記第１の側面部又は第２の側面部を押圧することによって、前記連結部を中心に回動して前記第１の側面部及び第２の側面部が近接し、前記本体部が扁平な形状に弾性変形してなることを主要な特徴となしている。
【００１６】
請求項６に係る発明では、用紙の側部に設けられた複数の孔をリングで綴じて製本されるブックの前記リングに上下方向から係脱自在に係合される背見出しタグであって、横断面形状が円形、半円形又は円弧状の柱状体からなる本体部と、先端部が上下方向に相互に向かい合う一対の突起部によって前記本体部を前記リングに係合させる係合部と、を備えてなることを他の最も主要な特徴となしている。
【００１８】
請求項７に係る発明では、用紙の側縁部に設けられた複数の孔をリングで綴じて製本されるブックの前記リングに上下方向から係脱自在に係合される背見出しタグであって、弾性復元力のある板材の両側縁のそれぞれに先端部が上下方向に相互に向かい合う一対の突起部を連接し、該板材の中央を、約３０度乃至約１５０度の角度範囲で折り曲げることで、第１の側面部と、第２の側面部と、前記第１の側面部及び第２の側面部の一端側におけるそれぞれの側縁間を約３０度乃至約１５０度の角度範囲で離間させて連結する連結部と、からなる本体部と、先端部が上下方向に相互に向かい合う一対の突起部によって前記本体部を前記リングに係合させる係合部と、を形成したことを他の最も主要な特徴となしている。
【発明の効果】
【００１９】
請求項１に係る発明では、背見出しタグの本体部を構成する第１の側面部と第２の側面部とが、約３０度乃至約１５０度の開口角度で連結されている。このため、第１の側面部及び第２の側面部にブックの内容を示す見出しを表示することで、書棚等にブックを収納したときには、背見出しタグがブックから突出した状態となり、書棚等の正面側からでも側面側からでも各側面部に表示した見出し内容を視認することができる。
また、係合部は一対の突起部を備えた構成となるので、上側と下側とからリングを係合することができ、背見出しタグがリングから外れ難くなる。また、先端部が相互に向かい合う一対の突起部間の間隔によって、ピッチの異なるリングにも幅広く対応することができる。
【００２０】
請求項２に係る発明では、本体部の横断面形状がV字状に形成されているので、書棚等に収納した隣接するブック間において、それぞれの背見出しタグの連結部間の間隔が広くなる。このため、隣接するブック間に新たなブックを挿入する場合であっても、隣接するブックにそれぞれ係合している各背見出しタグが新たなブックの差込の邪魔とはならない。しかも、本体部の横断面形状がV字状に形成することによって、背見出しタグを少ない材料で構成することができる。
【００２１】
請求項３に係る発明では、板状体の中央を折り曲げることで簡単に背見出しタグを製造することができる。
請求項４に係る発明では、意匠性の高い背見出しタグを構成することができる。
【００２２】
請求項５に係る発明では、ブックの表紙が内側となるようにブックを折り畳んだ際に、背見出しタグが扁平な形状に弾性変形することができる。このため、背見出しタグを栞として使用することもでき、また、背見出しタグが扁平になるので、用紙の平坦性が維持され、ブックの用紙に筆記する際の妨げとなる不都合を解消できる。
【００２３】
請求項６に係る発明では、湾曲面で構成された側面部に見出しを表示することができるので、書棚等に収納した際に見る方向に応じた所望の箇所に見出しを表示することができる。また、書棚等に収納されたブックの背を指で撫ぜて行きながら求めるブックを探す際にも、指が背見出しタグ上を滑らかに滑っていくことができる。
また、係合部は一対の突起部を備えた構成となるので、上側と下側とからリングを係合することができ、背見出しタグがリングから外れ難くなる。また、先端部が相互に向かい合う一対の突起部間の間隔によって、ピッチの異なるリングにも幅広く対応することができる。
【００２５】
請求項７に係る発明では、弾性復元力のある板材の両側縁のそれぞれに先端部が上下方向に相互に向かい合う一対の突起部を連接し、該板材の中央を、約３０度乃至約１５０度の角度範囲で折り曲げることで、第１の側面部と、第２の側面部と、前記第１の側面部及び第２の側面部の一端側におけるそれぞれの側縁間を約３０度乃至約１５０度の角度範囲で離間させて連結する連結部と、からなる本体部と、先端部が上下方向に相互に向かい合う一対の突起部によって前記本体部を前記リングに係合させる係合部と、を形成したので、ブックの表紙が内側となるようにブックを折り畳んだ際に、背見出しタグが扁平な形状に弾性変形することができる。このため、背見出しタグを栞として使用することもでき、また、背見出しタグが扁平になるので、用紙の平坦性が維持され、ブックの用紙に筆記する際の妨げとなる不都合を解消できる。
また、係合部は一対の突起部を備えた構成となるので、上側と下側とからリングを係合することができ、背見出しタグがリングから外れ難くなる。また、先端部が相互に向かい合う一対の突起部間の間隔によって、ピッチの異なるリングにも幅広く対応することができる。
【発明を実施するための最良の形態】
【００２６】
本発明の好適な実施の形態について添付図面に基づいて具体的に説明する。本願発明における背見出しタグの構成としては、以下で説明する形状、配置構成以外にも本発明の課題を解決することができる形状、配置構成であれば、それらの形状、配置構成を採用することができるものである。このため、本発明は、以下に説明する実施例に限定されるものではなく、多様な変更が可能である。
【実施例１】
【００２７】
図１〜図４に示すように、背見出しタグ１は、連結部６を扇の要として第１の側面部２と第２の側面部４の一端側におけるそれぞれの側縁間が約３０度乃至約１５０度の角度範囲（約３０°≦α≦約１５０°）で離間している。本実施例では、第１の側面部２と第２の側面部４とのなす角度αを５０°とした。第１の側面部２及び第２の側面部４の一端側におけるそれぞれの側縁には、先端部が相互に向かい合う係合部としての一対の突起部３ａ、３ｂ及び突起部５ａ、５ｂが連接されている。また、第１の側面部２及び第２の側面部４には、ブックの内容を表示することができる。
【００２８】
各一対の突起部３ａ、３ｂ及び突起部５ａ、５ｂ間は、ブックを綴じている複数のリングを上下方向から多少余裕をもって係合させることができる間隔に構成されている。このため、異なるピッチのリングに対しても、各一対の突起部３ａ、３ｂ及び突起部５ａ、５ｂを容易に係合させることができる。
【００２９】
図３、図４に示すように、第１の側面部２及び第２の側面部４は連結部６を回動中心として、内側に折り畳むことができる。連結部６は、第１の側面部２及び第２の側面部４よりも面厚が薄くなっている。このため、第１の側面部２及び第２の側面部４における面厚を約０．５〜２．０ｍｍ程度として構成したときは、連結部６における面厚としては、約０．２〜０．７ｍｍ程度が好ましい。
これによって、連結部６において弾性復元力を持たせ、連結部６を回動中心とした折り曲げ、折り曲げた状態からの復帰を可能としている。
【００３０】
背見出しタグ１を構成する材質としては、合成樹脂製のプラスチック薄板、板バネ等の金属板、厚紙、竹のような弾性力を有する木材等を用いることができる。背見出しタグ１は、弾性復元力のある板材の両側縁にそれぞれ係合部としての一対の突起部３ａ、３ｂ及び一対の突起部５ａ、５ｂを連接し、板材の中央を押し潰して連接部６を形成することにより、簡単に製造することができる。
【００３１】
背見出しタグ１は、弾性復元力のある材質を用いて構成しているので、第１の側面部２及び第２の側面部４を互いに近接するように押圧すると連結部６を中心として内側に折り畳まれて扁平な状態にすることができる。しかも、押圧力を解除することで連結部６における弾性復元力によって、元の立体形状に復帰することができる。
【００３２】
図５に示すように、背見出しタグ１の一対の突起部３ａ、３ｂ及び一対の突起部５ａ、５ｂをそれぞれ弾性変形させて、一対の突起部３ａ、３ｂ間及び一対の突起部５ａ、５ｂ間に、ブック７を構成しているリング８を係合させることができる。背見出しタグ１を係合したブック７の上面図を図６で示すように、リング８に係合させた背見出しタグ１は、Ｖの字状に開いてブック７の背見出しとして機能することができる。
【００３３】
これにより、図７に示すように複数のブック７を隣り合わせて並べても、各背見出しタグ１はそれぞれのブック７から突出した状態とすることができ、背見出しタグ１の第１の側面部２及び第２の側面部４に記載された記載内容を簡単に確認することができる。また、図７に示すように、背見出しタグ１は、リング８の任意の高さ位置に係合させることができる。
【００３４】
更に、隣接するブック間に新たなブックを挿入するときでも、隣接するブックにそれぞれ係合している背見出しタグは、各ブックから突出した状態でしかもそれぞれの連結部間を広く離間させているので、新たなブックを容易に隣接するブック間に差し込むことができる。
【００３５】
図８に示すように、ブック７の表紙が内側になるようにブック７を折り畳んだとき、背見出しタグ１が表紙と裏表紙間に挟持されても、背見出しタグ１は、二つ折りの扁平状態となって平面状を呈することができる。これにより、表紙と裏表紙間に大きな隙間を形成することなく、用紙に筆記する際の邪魔とならない。また、背見出しタグ１が扁平状態になることができる機能を利用して、背見出しタグ１を栞として使用することもできる。
【００３６】
背見出しタグ１をリング８から取外すときには、背見出しタグ１をリング８に対して捩じるように曲げることで、リング８から簡単に取外すことができる。尚、リング８としては、ダブルループリングやスパイラルリング等が用いられ、複数束ねた各用紙の側縁部に形成した複数個の綴じ孔９に係合させてブック７を構成することができる。
【００３７】
また、用紙の側縁部に形成する綴じ孔９の形成数に対応して、綴じ孔９を綴じるリング８のピッチとしては、複数の異なるピッチが用いられている。しかしながら、一対の突起部３ａ、３ｂの間隔及び一対の突起部５ａ、５ｂ間の間隔は、リング８をそれぞれ複数個収納することができるよう余裕をもって形成されている。このため、どのようなピッチのリング８に対しても本発明の背見出しタグ１を係合させることができる。
【００３８】
しかも、どのようなピッチのリング８に対して背見出しタグ１を係合させても、係合させた背見出しタグ１は、一対の突起部３ａ、３ｂと一対の突起部５ａ、５ｂとの間が広がるように展開するので、係合したリング８に対して大きくガタ付くことが無く確実に保持されることになる。この背見出しタグ１としては、両側縁部にそれぞれ係合部を連接した平板を折り曲げることによって製造することや、金型等により一体成型することなどによって製造することができる。
【実施例２】
【００３９】
本願発明に係わる第２の実施例として、背見出しタグ１が上下両端面を解放した中空の三角柱形状に形成した例について図９、図１０を用いて説明する。他の構成は、実施例１における構成と同様の構成となっている。このため、実施例１と同様の構成については、実施例１において用いた部材符号と同じ部材符号を用いることでその説明を省略する。
【００４０】
図９、図１０に示すように、係合部としての一対の突起部３ａ、３ｂ及び一対の突起部５ａ、５ｂは、連結部６に隣接していない一側面１２の両稜線側に形成されている。一側面１２の中央部には、前記両稜線に平行な折れ曲り部１２ａが形成されている。
【００４１】
折れ曲り部１２ａとしては、面厚を薄くすることによって形成できる。また、一側面１２に隣接する第１の側面部２及び第２の側面部４との間にも折れ曲がり部１３ａ、１３ｂが形成されている。各折れ曲がり部１３ａ、１３ｂは、連結部６における形成と同様に面厚を薄く形成され、内側への折れ曲がり、折れ曲がりからの復帰が可能に構成されている。
【００４２】
第１の側面部２及び第２の側面部４を重ね合わせる方向に押圧すると、折れ曲り部１２ａがブックに対して外側に弾性変形し、折れ曲がり部１３ａ、１３ｂが近接して、背見出しタグ１１は、扁平状に弾性変形することができる。
【００４３】
前記付勢力が解除されると、背見出しタグ１１は再び図９、図１０で示すような立体形状に復帰することができる。また、一側面１２の折れ曲り部１２ａが外側に弾性変形したとき、折れ曲り部１２ａが、背見出しタグ１１を係合しているリング８に当接しないよう各一対の突起部３ａ、３ｂ及び５ａ、５ｂにおける一側面１２からの突出高さを形成しておくことが望ましい。折れ曲り部１２ａとしては、ブックに対して外側に折れ曲る構成以外に、内側に折れ曲る構成とすることもできる。
【実施例３】
【００４４】
本願発明に係わる第３の実施例として、背見出しタグ１５が上下両端面を解放した中空の台形柱形状に形成した例について図１１、図１２を用いて説明する。他の構成は、実施例１における構成と同様の構成となっている。このため、実施例１と同様の構成については、実施例１において用いた部材符号と同じ部材符号を用いることでその説明を省略する。
【００４５】
図１１、図１２に示すように、係合部としての一対の突起部３ａ、３ｂ及び一対の突起部５ａ、５ｂは、横断面台形の底辺にあたる台形柱形状の底面１６における２つの稜線側にそれぞれ形成されている。底面１６の中央部には、前記２つの稜線に平行な折れ曲り部１６ａが形成され、横断面台形の上辺にあたる連結部としての上面１７の中央部には、前記上面１７の両稜線に平行な折れ曲り部１７ａが形成されている。
【００４６】
また、上面１７と同上面１７に隣接する第１の側面部２及び第２側面部４との折れ曲がり部１８ａ、１８ｂ、及び底面１６と同底面１６に隣接する第１の側面部２及び第２側面部４との折れ曲がり部１９ａ、１９ｂは、それぞれの面厚が薄く形成され、内側への折れ曲がり、折れ曲がりからの復帰が可能に構成されている。
【００４７】
第１の側面部２及び第２の側面部４を重ね合わせる方向に押圧すると、折れ曲り部１６ａ及び折れ曲り部１７ａはそれぞれブックに対して外側に弾性変形し、各折れ曲がり部１８ａ、１８ｂ、１９ａ、１９ｂは弾性変形して接近する。これにより、背見出しタグ１５は、扁平状に弾性変形することができる。なお、折れ曲り部１６ａ又は折れ曲り部１７ａを内側に折れ曲るように構成することもできる。
【００４８】
前記付勢力が解除されると、背見出しタグ１５は再び図１１、図１２で示すような立体形状に復帰することができる。また、底面１６の折れ曲り部１６ａが外側に弾性変形したとき、折れ曲り部１６ａが、背見出しタグ１５を係合しているリング８に当接しないよう各一対の突起部３ａ、３ｂ及び５ａ、５ｂにおける底面１６からの突出高さを形成しておくことが望ましい。
【００４９】
背見出しタグ１５の横断面形状が台形の例について説明を行ったが、背見出しタグの横断面形状は台形に限定されるものではなく、横断面形状が五角形以上の多角形形状であってもよい。横断面形状が五角形以上の多角形形状としたときにおいても、背見出しタグが立体形状と重ね合わさって形成される扁平状の形成との間で弾性変形可能の形状としておくことが望ましい。
【００５０】
この様に、背見出しタグの本体部における横断面形状を多角形形状にすることで、背見出しタグに表示する見出し内容やブックのジャンル等も、多角形の各側面を有効利用して表示したり色分けしたりすることができる。
【実施例４】
【００５１】
本願発明に係わる第４の実施例として、背見出しタグ２０が上下両端面を有した箱型形状に形成した例について図１３を用いて説明する。基本的な構成は、実施例１〜実施例３における構成と同様の構成となっているが、実施例１〜実施例３とは異なり立体形状が維持される構成となっている。
【００５２】
側面部を有する構成及びリング８に係脱自在に係合する係合部としての一対の突起部を備えた構成は、実施例１〜実施例３と同様の構成となっている。このため、側面部及び一対の突起部の作用に付いては、実施例１における説明を援用してその説明を省略する。
【００５３】
図１３に示すように、背見出しタグ２０は三角形状の上面板２１ａと同じく三角形状の下面板２１ｂとの間を側面部２及び側面部４とによって連結した箱型形状を有している。上面板２１ａと下面板２１ｂとの対向する面には上下一対の突起部２２ａ、２２ｂ及び上下一対の突起部２３ａ、２３ｂが形成されている。また、第１の側面部２と第２の側面部４とは連結部６により連結されている。
【００５４】
各一対の突起部２２ａ、２２ｂ、２３ａ、２３ｂをそれぞれブック７のリング８に係合させることにより、ブック７の背見出しとして取り付けることができる。第４実施例では、背見出しタグ２０が常に立体形状を維持することができるので、複数のブック７を書棚等に収納しても第１の側面部２と第２の側面部４とが重なり合うことがない。
このため、背見出しタグ２０は、背見出しとしての機能を十分に発揮することができる。
【実施例５】
【００５５】
本願発明に係わる第５の実施例として、背見出しタグ２５が上下両端面を有した箱型形状に形成した他の例について図１４を用いて説明する。基本的な構成は、実施例４における構成と同様の構成となっている。このため、実施例４と同様の構成については、実施例４において用いた部材符号と同じ部材符号を用いることでその説明を省略する。
【００５６】
図１４に示すように、背見出しタグ２５は台形形状の上面板２６ａと同じく台形形状の下面板２６ｂとの間を側面部２及び側面部４とによって連結した箱型形状を有している。上面板２６ａと下面板２６ｂとの対向する面には係合部としての上下一対の突起部２２ａ、２２ｂ及び上下一対の突起部２３ａ、２３ｂが形成されている。また、第１の側面部２と第２の側面部４とは連結部６により連結されている。
【００５７】
各一対の突起部２２ａ、２２ｂ、２３ａ、２３ｂをそれぞれブック７のリング８に係合させることにより、ブック７の背見出しとして背見出しタグ２５を取り付けることができる。第５実施例では、背見出しタグ２５が常に立体形状を維持することができるので、複数のブック７を書棚等に収納しても一対の側面部２、４同士が重なり合うことがない。
このため、背見出しタグ２５は、背見出しとしての機能を十分に発揮することができる。
【実施例６】
【００５８】
本願発明に係わる第６の実施例として、背見出しタグ３０が上下両端面を有した箱型形状に形成した別の例について図１５を用いて説明する。基本的な構成は、実施例４における構成と同様の構成となっている。このため、実施例４と同様の構成については、実施例４において用いた部材符号と同じ部材符号を用いることでその説明を省略する。
【００５９】
図１５に示すように、背見出しタグ３０は円弧状の上面板３１ａと同じく円弧状の下面板３１ｂとの間を曲面形状の側面部３２で連結した箱型形状を有している。上面板３１ａと下面板３１ｂとの対向する面には係合部としての上下一対の突起部２２ａ、２２ｂ及び上下一対の突起部２３ａ、２３ｂが形成されている。
【００６０】
各一対の突起部２２ａ、２２ｂ、２３ａ、２３ｂをそれぞれブック７のリング８に係合させることにより、ブック７の背見出しとして取り付けることができる。第６実施例では、背見出しタグ３０が常に立体形状を維持することができるので、背見出しタグ３０は、背見出しとしての機能を十分に発揮することができる。また、曲面形状の側面部３２には見出しを周面上に表示しておくことができるので、ブック７の背側の任意の角度から側面部３２に表示されている見出し内容を見ることができる。
【００６１】
実施例４〜実施例６において、一対の突起部２２ａ、２２ｂ及び一対の突起部２３ａ、２３ｂをリング８に係合させるとき、あるいは係合状態を解除するとき、各一対の突起部２２ａ、２２ｂ及び一対の突起部２３ａ、２３ｂを弾性変形させることも、上面板及び下面板の自由端側を弾性変形させることもできる。
【実施例７】
【００６２】
本願発明に係わる第７の実施例として、背見出しタグ４８を板状体として形成した例について図１６、図１７を用いて説明する。図１６、図１７に示すように、背見出しタグ４８は板体４９から構成されている。背見出しタグ４８に形成する係合部としては、図１６に示すように先端部が互いに対向する上下一対の突起部４９ａ、４９ｂを形成することも、図１７に示すように２組の一対の突起部４９ａ、４９ｂ及び一対の突起部４９ｃ、４９ｄを形成することもできる。
【００６３】
一対の突起部４９ａ、４９ｂあるいは２組の一対の突起部４９ａ、４９ｂ、４９ｃ、４９ｄをそれぞれブック７のリング８に係合させることにより、ブック７の背見出しとして取り付けることができる。第７実施例では、背見出しタグ４８をブック７の背表紙面に略平行な面となるように取り付けることができるので、場所をとらずに背見出しとしての機能を有効に発揮することができる。
【００６４】
尚、板体４９の横幅は、ブックを開閉したときに開閉の邪魔とならない幅寸法に形成しておくことが望ましい。
【００６５】
実施例７において、一対の突起部４９ａ、４９ｂや一対の突起部４９ｃ、４９ｄをリング８に係合させるとき、あるいは係合状態を解除するとき、各一対の突起部４９ａ、４９ｂ及び一対の突起部４９ｃ、４９ｄを弾性変形させることにより行うことができる。
【実施例８】
【００６６】
実施例８では、係合部の構成に関する変形例について説明する。実施例８で説明する係合部の構成は、上述した各実施例におけるそれぞれの係合部として適用することができるものである。図１８〜図２０には、係合部の変形例を背見出しタグの右側面図として示している。
【００６７】
図１８で示す背見出しタグでは、側面部３５の側縁部にフランジ部３６を形成し、フランジ部３６に前記側面部３５の長手方向に沿ってスリット３８が形成されている。スリット３８の突き当たり端部及びスリット３８の途中に一対の係合孔３７ａ、３７ｂが形成されている。スリット３８の開口をリング８の端部から挿入し、一対の係合孔３７ａ、３７ｂをリング８に係合させることにより、背見出しタグを取り付けることができる。
【００６８】
図１９で示す背見出しタグでは、側面部３５の端縁部に一対のフランジ部３９ａ、３９ｂが形成されている。各フランジ部３９ａ、３９ｂには、スリット４１ａ、４１ｂが形成されている。また、各スリット４１ａ、４１ｂには係合孔４０ａ、４０ｂがそれぞれ形成されている。
【００６９】
リング８の隣接するリンク間に各フランジ部３９ａ、３９ｂを挿入して、リング８をスリット４１ａ、４１ｂに挿入して、同挿入した各リングを係合孔４０ａ、４０ｂに係合させることにより、背見出しタグをリング８に取り付けることができる。
【００７０】
図２０で示す背見出しタグでは、側面部３５の端縁部にフランジ部４３が形成されている。フランジ部４３の上部には、スリット４５と同スリット４５に連通する係合孔４４が形成されている。また、フランジ部４３の下端には係合凹部４７を有する係合片４６が形成されている。
【００７１】
リング８にスリット４５を挿入して、リング８をスリット４５に形成した係合孔４４と係合させる。同時に、係合片４６の係合凹部４７をリング８に係合させることにより、背見出しタグをリング８に取り付けることができる。係合片４６に弾性変形を効率よく行わせるために、フランジ部４３の下端部近傍を側面部３５の端縁部から離間した形状に構成しておくこともできる。
【００７２】
尚、本発明における本体部は、背見出しとしての機能を有するものであればよく、中実体で構成することもできる。また、リング自体が弾性変形可能なものであるならば、係合部としては、弾性を有しない材質で構成することもできる。
【産業上の利用可能性】
【００７３】
本願発明は、背見出しタグに関するものであるが、等ピッチ間隔で形成されたリングに対して本願発明の技術思想を適用することもできる。
【図面の簡単な説明】
【００７４】
【図１】背見出しタグの斜視図である。（実施例１）
【図２】背見出しタグの左側面図である。（実施例１）
【図３】背見出しタグの背面図である。（実施例１）
【図４】背見出しタグの底面図である。（実施例１）
【図５】背見出しタグの使用状態を示す要部斜視図である。（実施例１）
【図６】背見出しタグの使用状態を示す上面図である。（実施例１）
【図７】ブックを複数配置した使用状態を示す斜視図である。（実施例１）
【図８】背見出しタグが折り畳んだ用紙間に挟持された状態を説明する要部斜視図である。（実施例１）
【図９】背見出しタグの斜視図である。（実施例２）
【図１０】背見出しタグの底面図である。（実施例２）
【図１１】背見出しタグの斜視図である。（実施例３）
【図１２】背見出しタグの底面図である。（実施例３）
【図１３】背見出しタグの斜視図である。（実施例４）
【図１４】背見出しタグの斜視図である。（実施例５）
【図１５】背見出しタグの斜視図である。（実施例６）
【図１６】背見出しタグの斜視図である。（実施例７）
【図１７】他の背見出しタグの斜視図である。（実施例７）
【図１８】背見出しタグの係合部を示す側面図である。（実施例８）
【図１９】別の背見出しタグの係合部を示す側面図である。（実施例８）
【図２０】他の背見出しタグの係合部を示す側面図である。（実施例８）
【図２１】背見出しタグの平面図である。（従来例１）
【図２２】背見出しタグの使用状態を示す要部平面図である。（従来例１）
【符号の説明】
【００７５】
１・・・背見出しタグ
２・・・第１の側面部
３ａ、３ｂ・・・突起部
４・・・第２の側面部
５ａ、５ｂ・・・突起部
６・・・連結部
７・・・ブック
８・・・リング
１１・・・背見出しタグ
１２ａ・・・折れ曲り部
１５・・・背見出しタグ
１６ａ・・・折れ曲り部
１７ａ・・・折れ曲り部
２０・・・背見出しタグ
２２ａ、２２ｂ・・・突起部
２３ａ、２３ｂ・・・突起部
２５・・・背見出しタグ
３０・・・背見出しタグ
３２・・・側面部
３５・・・側面部
３７ａ、３７ｂ・・・係合孔
４０ａ、４０ｂ・・・係合孔
４４・・・係合孔
４７・・・係合凹部
４８・・・背見出しタグ
４９ａ〜４９ｄ・・・突起部
５０・・・背見出しタグ
５１・・・取付孔
５２・・・リング
５３・・・スリット
【図１】
0004749148.tif 000002
【図２】
0004749148.tif 000003
【図３】
0004749148.tif 000004
【図４】
0004749148.tif 000005
【図５】
0004749148.tif 000006
【図６】
0004749148.tif 000007
【図７】
0004749148.tif 000008
【図８】
0004749148.tif 000009
【図９】
0004749148.tif 000010
【図１０】
0004749148.tif 000011
【図１１】
0004749148.tif 000012
【図１２】
0004749148.tif 000013
【図１３】
0004749148.tif 000014
【図１４】
0004749148.tif 000015
【図１５】
0004749148.tif 000016
【図１６】
0004749148.tif 000017
【図１７】
0004749148.tif 000018
【図１８】
0004749148.tif 000019
【図１９】
0004749148.tif 000020
【図２０】
0004749148.tif 000021
【図２１】
0004749148.tif 000022
【図２２】
0004749148.tif 000023